(57)【要約】【課題】  ＤＶＤやＣＤ等の円板状記録媒体を簡単に取付け・取外しすることが出来る複数枚の仕切り板を備えたレンタル用ケースの提供。【解決手段】  仕切り板４ａ，４ｂ，４ｃを収容する本体１と蓋体２を有し、蓋体２を閉じて開かないようにロックすることが出来るロックプレート５を備え、そして上記仕切り板４ａ，４ｂ，４ｃには円板状記録媒体の中心に形成した穴に嵌るヘソ６ａ，６ｂ，６ｃを設け、蓋体２を開閉可能に軸支する鉄心１２に上記各仕切り板４ａ，４ｂ，４ｃを軸支する為に、仕切り板の基部から延びるアーム９ａ，９ｂ，９ｃ先端に鉄心１２が挿通する軸穴１０ａ，１０ｂ，１０ｃを形成した軸部８ａ，８ｂ，８ｃを設けている。【選択図】    図１
2011037455.tif 000002
【特許請求の範囲】
【請求項１】
ＤＶＤやＣＤ等の円板状記録媒体を取付けることが出来る複数枚の仕切り板を備えたレンタル用ケースにおいて、上記仕切り板を収容する本体と蓋体を有し、蓋体を閉じて開かないようにロックすることが出来るロックプレートを備え、そして上記仕切り板には円板状記録媒体の中心に形成した穴に嵌るヘソを設け、蓋体を開閉可能に軸支する鉄心に上記各仕切り板を軸支する為に、仕切り板の基部から延びるアーム先端に鉄心が挿通する軸穴を形成した軸部を設けたことを特徴とするレンタル用ケース。
【請求項２】
各仕切り板の先端には仕切り板を捲り上げる為の指掛けを形成した請求項１記載のレンタル用ケース。
【請求項３】
上記仕切り板の表側面と裏側面にヘソを設け、該ヘソを構成する為の一対のツメが配置される方向を表面と裏面とで違わせた請求項１、又は請求項２記載のレンタル用ケース。
【発明の詳細な説明】
【技術分野】
【０００１】
本発明はＤＶＤ、ＣＤなどの円盤状記録媒体を収容する為に複数枚の仕切り板を備えたレンタル用ケースに関するものである。
【背景技術】
【０００２】
ＤＶＤやＣＤ等を貸し出す為のレンタル用ケースは陳列用ケースに収容されて、その上端部を陳列用ケース上端開口から突出した状態でレンタルショップの陳列棚に陳列されている。客は陳列用ケースに取付けられているタイトル紙を見て、レンタル用ケースを抜取って、カウンターで所定の手続を経て借りることが出来る。
【０００３】
ところで、ＤＶＤに収録されているドラマによっては、該ＤＶＤは１０枚〜２０枚分に及ぶ場合もあり、このような長編ドラマを１枚ごとにレンタル用ケースに収容したのでは陳列棚に配列する際に大きなスペースを必要とする。又、借りる客にとっても何本も順次借りなくてはならないことから不便であり、レンタルコストも嵩むことになる。
【０００４】
そこで、近年では１枚のレンタル用ケース内に複数枚のＤＶＤを収容して貸し出すことが出来るようにしている場合も多い。図６は本体（イ）と蓋体（ロ）とで構成したレンタル用ケースであって、ＤＶＤを収容可能とした構造と成っている。特開２００７−２９７１０４号に係る「レンタル又は販売用のディスク収納ケース」はこのレンタル用ケースに関する従来文献の１つである。
【０００５】
２枚のＤＶＤやＣＤなどのディスクを収納することが出来、厚さを抑えると共に歌詞カードを収容する空間（ハ）を備えたレンタル用ケースである。そこで、ケース本体（イ）の側縁に継手を介して開閉する蓋体（ロ）、同じくケース本体（イ）の側縁に継手を介して開閉する仕切り板（ニ）を有し、該蓋体（ロ）の中央部にはディスク中央穴に嵌るヘソ（ホ）を設け、仕切り板（ニ）の中央部にもディスク中央穴に嵌るヘソ（ホ）を形成している。
【０００６】
又、閉じた仕切り板（ニ）とケース本体（イ）の底部との間には歌詞カードなどが収容される底部空間（ハ）を設け、仕切り板（ニ）と蓋体（ロ）との間には２枚のディスクが収納される上部空間を設けている。そして、蓋体（ロ）を閉じた状態でロックプレート（ヘ）が挿入され、蓋体（ロ）はロックされる構造と成っている。
【０００７】
しかし、上記レンタル用ケースでは仕切り板（ニ）を備えているが、その枚数は１枚であり、その為にＤＶＤは２枚しか収容することが出来ない。本発明では少なくとも数枚のＤＶＤが１個のレンタル用ケースに収容できることを目的としている。従って、上記仕切り板を複数枚取付けるならば、複数枚のＤＶＤを収容することが可能であるが、レンタル用ケースの厚さが比例して大きくなり、又複数枚の仕切り板を取付けることで該仕切り板へのＤＶＤの取付け・取外しがし難くなる。
【０００８】
特表２００９−５００２５７号に係る「ディスク保護容器」は、ＣＤまたはＤＶＤのための容器は、蓋部、背板部および基板部を有する１個のケースと、上記基板部から前方に突出する間隔を置いた一対のヒンジポストを備えた１個のメインヒンジ構造と、このメインヒンジ構造に枢動可能に連結されかつ１個の二次的トレーを枢支する二次的ヒンジ構造を有する１個のメイントレーとを備え、これらトレーは、本の頁のように捲ることができる。メイントレーは、別の二次的トレーを係合させる１個の追加の二次的ヒンジ構造を有することができる。上記トレーのそれぞれは、ケースの閉鎖時それらの支持構造に接触している７枚までのディスクを係止するために両面構造を有する。メイントレーは二次的トレーをメイントレーに対して面一（つらいち）の状態で入れ子にするために、両側に突出するリム部を有することができる。
【０００９】
上記メイントレイ（仕切り板）の基部は基板部に設けた一対のヒンジポストに軸支されて回動することで本の頁のように捲ることができるように構成している。しかも、該基部はヒンジポストに設けた長溝に嵌っていて、捲る時には長溝に沿って移動させなくてはならない。そして、メイントレイは夫々のヒンジポストに取付けられる為に、基板部には複数のヒンジポストが配列している。すなわち、複数の軸受けを有した構造と成っている。
【特許文献１】特開２００７−２９７１０４号に係る「レンタル又は販売用のディスク収納ケース」
【特許文献２】特表２００９−５００２５７号に係る「ディスク保護容器」
【発明の開示】
【発明が解決しようとする課題】
【００１０】
このように、複数枚のＤＶＤ等を収容するレンタル用レースには上記のごとき問題がある。本発明が解決しようとする課題はこの問題点であり、数枚のＤＶＤ等の円板状記録媒体を収容して、取外し・取付けが容易に行うことが出来るレンタル用ケースを提供する。
【課題を解決するための手段】
【００１１】
本発明に係るレンタル用ケースは、本体と蓋体及び複数枚の仕切り板から構成している。蓋体は本体に軸支されて開閉することが出来、又仕切り板も同じ軸を中心として本の頁を捲るように回動することが出来る。ここで、本発明では上記仕切り板を軸支する軸は蓋体の開閉軸と共通し、しかも１つの軸に軸支した構造としている。
【００１２】
従って、仕切り板の基部にはアームを延ばし、該アームを介して軸に取付けられている。アームの長さ及び形状は夫々異なり、複数の仕切り板が本体に重なり合って収容された状態で各仕切り板と軸とを繋ぐことが出来るアーム形状及び長さとしている。そして、各仕切り板にはＤＶＤの中心穴に嵌るヘソが突出して設けられ、基本的には仕切り板の両面にヘソを設けている。
【００１３】
本発明に係るレンタル用ケースはＤＶＤ等を収容した状態で陳列用ケースに上端部を突出した状態で収容され、陳列棚に配列される。そこで、盗難から守るために蓋体をロックするロックプレートが挿入され、又軸には鉄心が使用される。ここで、上記ロックプレートに関しては従来の技術が利用され、該ロックプレートをケースの開口から挿入することで該ロックプレートを介して本体と蓋体が連結される構造としている。ただし、具体的な構造に関しては限定しないことにする。
【発明の効果】
【００１４】
本発明に係るレンタル用ケースはその内部に複数枚の仕切り板が回動出来るように取付けられ、各仕切り板に設けたヘソにはＤＶＤ等の円板状記録媒体を取付けることが出来る。従って、複数枚の仕切り板を備えることで数枚のＤＶＤを１個のレンタル用ケースに収容することが出来、１枚や２枚が収容されるレンタル用ケースを陳列用ケースに収容して陳列棚に配列する場合に比較して棚スペースは小さくて済む。
【００１５】
そして、本発明では各仕切り板がアームを介して同一軸に軸支されている為に、仕切り板を捲る際に軸位置を移動させる必要はなく、勿論、移動することは出来ないが、スムーズに回動して捲ることが出来る。従って、各仕切り板からＤＶＤ等を取出したり、取付けたりする作業をスムーズに行うことが出来る。又、該レンタル用ケースは複数枚のＤＶＤ等を収容した状態で蓋体が開かないようにロックされることで、陳列棚に陳列しても盗難に遭うことはない。
【図面の簡単な説明】
【００１６】
【図１】本発明に係るレンタル用ケースを示す実施例。
【図２】仕切り板４ａの具体例。
【図３】仕切り板４ｂの具体例。
【図４】仕切り板４ｃの具体例。
【図５】３枚の仕切り板が重なり合っている断面拡大図。
【図６】従来のレンタル用ケースの具体例。
【発明を実施するための形態】
【００１７】
図１は本発明に係るレンタル用ケースを示す実施例であり、同図の１は本体、２は蓋体、３は軸を表している。そして、４ａ，４ｂ，４ｃは仕切り板を示し、これら各仕切り板４ａ，４ｂ，４ｃも同じ軸３に軸支されて本の頁のように捲ることが出来る。仕切り板４ａ，４ｂ，４ｃには、その両面にヘソが突出して設けられ、これらヘソにＤＶＤの中心穴が嵌って取付けられる。
【００１８】
同図に示すように、３枚の仕切り板４ａ，４ｂ，４ｃには合計６枚のＤＶＤが取付けられて本体１に収容され、蓋体２を閉じてロックプレート５が挿入される。そこで、蓋体２は挿入した上記ロックプレート５を介して本体１にロックされ、勝手に開かないようになる。本発明では、このロックプレート５の形態、ロック機構に関しては特に限定せず、従来のレンタル用ケースに用いられているロック機構を採用することが出来る。そして、ロックプレート５を解除する場合には一般に磁石を使用する場合が多いが、この解除手段に関しても限定しない。
【００１９】
図２は上記仕切り板４ａを示す具体例であって、表側を表している。該仕切り板４ａは概略正方形を成し、その中心にはヘソ６ａを形成し、該ヘソ６ａには２つのツメ７ａ，７ａが対向する位置に起立して設けられている。ＤＶＤの中心穴には該ヘソ６ａに設けられている２つのツメ７ａ，７ａが係合して該仕切り板４ａに取付けられる。勿論、ヘソ６ａは別の形態とすることは自由である。
【００２０】
同じく、該仕切り板４ａの裏面側にもその中心にヘソが設けられ、ヘソの周りには２つのツメを起立して設けている。そこで、裏面側のツメは上記表面側のツメ７ａ，７ａに対して垂直方向に設けられ、該仕切り板４ａには表側と裏側に夫々ＤＶＤが１枚づつ取付けられる。そして、基部側には軸部８ａ，８ａを２ヶ所に設け、該軸部８ａ，８ａは仕切り板４ａから延びるアーム９ａ，９ａの先端に形成している。
【００２１】
軸部８ａ，８ａには軸穴１０ａ，１０ａが貫通して設けられ、この軸穴１０ａ，１０ａには軸３を構成する鉄心１２が挿通される。該鉄心１２が本体１の軸部に形成した軸穴に嵌ることで、仕切り板４ａは本体１に軸支される。従って、仕切り板４ａは軸部８ａ，８ａを中心として回動することが出来る。又、仕切り板４ａの先端側には指掛け１１ａが設けられ、裏側へ延びており、仕切り板４ａは指掛け１１ａに指を掛けて捲り上げることが出来る。
【００２２】
図３は仕切り板４ｂを示す具体例である。基本的な形態は上記仕切り板４ａと共通し、その形状は概略正方形の板状体で中心にはヘソ６ｂを設け、該ヘソ６ｂには２つのツメ７ｂ，７ｂが対向する位置に起立して設けられている。同じく、該仕切り板４ｂの裏面側にもその中心にヘソが設けられ、ヘソの周りには２つのツメを起立して設けている。そこで、裏面側のツメは上記表面側のツメ７ｂ，７ｂに対して垂直方向に設けられ、該仕切り板４ｂには表側と裏側に夫々ＤＶＤが１枚づつ取付けられる。
【００２３】
そして、基部側には軸部８ｂ，８ｂを有していて、これら軸部８ｂ，８ｂは仕切り板４ｂとアーム９ｂ，９ｂを介して連結している。すなわち、仕切り板４ｂからアーム９ｂ，９ｂを延ばし、アーム９ｂ，９ｂの先端に上記軸部８ｂ，８ｂを形成しており、これら軸部８ｂ，８ｂには鉄心１２が挿通する軸穴１０ｂ，１０ｂを有している。
【００２４】
ところで、仕切り板４ｂに設けられる上記アーム９ｂ，９ｂは仕切り板４ａのアーム９ａ，９ａとは違っている。アーム９ａ，９ａは仕切り板４ａと同一面内に形成されているが、アーム９ｂ，９ｂは仕切り板４ｂに対して垂直に立ち上がり、Ｌ形を形成している。そして、この立ち上がり寸法は上記仕切り板４ａの厚さ寸法に相当している。又、仕切り板４ｂの先端に設けている指掛け１１ｂの形状も仕切り板４ａの指掛け１１ａとはその形状を異にしている。すなわち、該指賭け１１ｂは仕切り板４ｂの表面側と裏面側へそれぞれ突出している。
【００２５】
図４は仕切り板４ｃを示す具体例である。その基本形態は前記仕切り板４ａ，４ｂと共通しており、概略正方形の板状体の中心にはヘソ６ｃを設け、該ヘソ６ｃには２つのツメ７ｃ，７ｃが対向する位置に起立して設けられている。同じく、該仕切り板４ｃの裏面側にもその中心にヘソが設けられ、ヘソの周りには２つのツメを起立して設けている。そこで、裏面側のツメは上記表面側のツメ７ｃ，７ｃに対して垂直方向に設けられ、該仕切り板４ｃには表側と裏側に夫々ＤＶＤが１枚づつ取付けられる。
【００２６】
そして、基部側には軸部８ｃ，８ｃを有していて、これら軸部８ｃ，８ｃは仕切り板４ｃとアーム９ｃ，９ｃを介して連結している。すなわち、仕切り板４ｃからアーム９ｃ，９ｃを延ばし、アーム９ｃ，９ｃの先端に上記軸部８ｃ，８ｃを形成しており、これら軸部８ｃ，８ｃには鉄心１２が挿通する軸穴１０ｃ，１０ｃを有している。
【００２７】
ところで、仕切り板４ｃに設けられる上記アーム９ｃ，９ｃは仕切り板４ａのアーム９ａ，９ａ、及び仕切り板４ｂのアーム９ｂ，９ｂとは違っている。アーム９ａ，９ａは仕切り板４ａと同一面内に形成されているが、アーム９ｃ，９ｃは仕切り板４ｃに対して垂直に立ち上がり、Ｌ形を形成している。そして、この立ち上がり寸法は上記仕切り板４ａと仕切り板４ｂの合計厚さ寸法に相当している。すなわち、仕切り板４ｂのアーム９ｂ，９ｂの立ち上がり寸法より大きく成っている。又、仕切り板４ｃの先端に設けている指掛け１１ｃの形状も仕切り板４ａの指掛け１１ａ、及び仕切り板４ｂの指掛け１１ｂとはその形状を異にしている。すなわち、該指掛け１１ｃは仕切り板４ｃの表面側へ突出している。
【００２８】
図５は本体１に３枚の仕切り板４ａ，４ｂ，４ｃが重なって収容されている状態の断面拡大図を示している。（ａ）は仕切り板４ａの軸部８ａの軸穴１０ａに鉄心１２が挿通して該軸部８ａが軸支されている状態である。（ｂ）は仕切り板４ｂの軸部８ｂの軸穴１０ｂに鉄心１２が挿通して該軸部８ｂが軸支されている状態であり、該軸部８ｂの位置は上記軸部８ａと同じ位置に配置される。その為に、アーム９ｂはＬ形を成している。そして（ｃ）は仕切り板４ｃの軸部８ｃの軸穴１０ｃに鉄心１２が挿通して該軸部８ｃが軸支されている状態であり、該軸部８ｃの位置は上記軸部８ａ，８ｂと同じ位置に配置される。その為に、アーム９ｃはＬ形を成し、しかも仕切り板４ｃから立ち上がる長さ寸法は大きく成っている。
【００２９】
この鉄心１２は本体１の基部側に設けた軸部の軸穴に挿通しており、同じく蓋体２の軸部も同じ鉄心１２を軸３として開閉可能に取付けられている。従って、仕切り板４ａは鉄心１２を軸３として回動し、捲り上げることが出来、又仕切り板４ｂも同じ鉄心１２を軸３として回動して捲り上げることが出来る。さらに仕切り板４ｃも同じ鉄心１２を軸３として回動し、捲り上げることが出来る。すなわち、本発明のレンタル用ケースは蓋体２、及び３枚の仕切り板４ａ，４ｂ，４ｃは同じ鉄心１２を軸３として回動することが出来る構造としている。
【００３０】
このように、本発明では本体内に複数枚の仕切り板４ａ，４ｂ・・・を重ね合わせて収容しているが、これら各仕切り板４ａ，４ｂ・・・は同一鉄心１２を軸３として支持されている為に、各仕切り板４ａ，４ｂ・・・を本の頁のように捲り上げることが出来、この際、軸３は一定している為にスムーズに捲り上げることが可能となる。その結果、該仕切り板４ａ，４ｂ・・・からＤＶＤを取外し易く、逆に仕切り板４ａ，４ｂ・・・にＤＶＤを取付け易い。
【符号の説明】
【００３１】
１  本体
２  蓋体
３  軸
４  仕切り板
５  ロックプレート
６  ヘソ
７  ツメ
８  軸部
９  アーム
10  軸穴
11  指掛け
12  鉄心
【図１】
2011037455.tif 000003
【図２】
2011037455.tif 000004
【図３】
2011037455.tif 000005
【図４】
2011037455.tif 000006
【図５】
2011037455.tif 000007
【図６】
2011037455.tif 000008